(57)【特許請求の範囲】
【請求項１】
移動機およびカーナビゲーションを搭載している複数の車両と、路上に設置される複数の路側機と、前記複数の路側機と送受信失敗情報の集中管理を行う路側機制御サーバとを備え、前記移動機と前記カーナビゲーションが無線通信を行い、該カーナビゲーションと前記路側機が無線通信を行い、前記路側機と前記路側機制御サーバがネットワークを介して通信を行うことで前記移動機と前記路側機制御サーバが通信を行うことができる無線伝送制御システムにおいて、
前記移動機が基地局との通信中に送受信を失敗し再送を繰り返すと、移動機がカーナビゲーションに対して送受信失敗通知を送信し、前記送受信失敗通知を受信したカーナビゲーションは前記移動機に再送中断通知を送信し該移動機の再送を中止させるとともに前記送受信失敗通知に現在の位置情報を付加した送受信失敗情報を前記路側機を介して前記路側機制御サーバに通報し、前記路側機制御サーバは、前記送受信失敗情報の位置情報に基づき通知用送受信失敗情報を配信する路側機を決定し、前記路側機は前記路側機制御サーバから受信した通知用送受信失敗情報を用いて記憶している送受信失敗情報を変更し走行中の車両に搭載されているカーナビゲーションに対し前記変更された送受信失敗情報を通知し、前記カーナビゲーションは、前記送受信失敗情報に基づき送受信失敗地帯を予測して通信制御情報を生成し、この生成した通信制御情報に基づく移動機の通信制御を行うことを特徴とする無線伝送制御システム。
【請求項２】
前記カーナビゲーションは、前記車両の現在位置と前記送受信失敗地帯の２地点の距離に基づいて、前記通信制御情報を転送レート高速化通知、再送中断通知、再送再開通知の何れか一つに決定し、
前記移動機は、前記転送レート高速化通知を受信した場合、基地局との通信を高速通信に切り換え、前記再送中断通知を受信した場合、基地局との通信で失敗が発生しても前記再送再開通知を受信するまでの間は再送通信を行わないことを特徴とする請求項１に記載の無線伝送制御システム。
【請求項３】
前記路側機は、カーナビゲーションから前記送受信失敗情報を受信した場合、受信した送受信失敗情報に含まれる位置情報に基づき受信した送受信失敗情報を路側機制御サーバへ伝送する必要性があるか否かを判断し、必要がある場合のみ受信した送受信失敗情報を前記路側機制御サーバに伝達することを特徴とする請求項１または２に記載の無線伝送制御システム。
【請求項４】
前記路側機制御サーバは、集中管理している送受信失敗情報を定期的にチェックし、前記送受信失敗情報の受信日時に基づいて、該送受信失敗情報の必要の有無を判断し、必要のない送受信失敗情報を削除するよう前記路側機に通知することを特徴とする請求項１〜３の何れか一つに記載の無線伝送制御システム。
【発明の詳細な説明】
【０００１】
【発明の属する技術分野】
本発明は、移動体通信において移動機と基地局の通信を制御する無線伝送制御システムに関するものである。
【０００２】
【従来の技術】
無線通信の場合、有線通信に比べて伝送路の状態は劣悪である。送信された信号は、建物や樹木などの障害物、地形や天候の影響を受け、反射、透過、回折を起こし、信号の強度や位相が異なった信号となって受信される。特に移動通信の場合は、基地局と移動機との距離の変化や障害物による直接波の遮断が頻繁に起こるため、再送制御を行っても、再送が頻発し伝送効率が悪くなってしまうことがある。このような理由から、無線通信では、誤り訂正の技術が不可欠で、送信データに冗長情報を付加する誤り訂正符号を用いることもそのひとつである。しかし、誤り訂正符号は、再送回数を低減させることはできるが、冗長情報を付加するため、実際に伝送できる情報量も少なくしてしまう。
【０００３】
このような問題を改善するために、伝送路の状態を監視し、その状態に適した誤り制御方式を選択する従来技術として、特開２０００−２５３０９５号公報がある。
【０００４】
図１７を参照して、特開２０００−２５３０９５号公報に示された誤り訂正の選択方法を説明する。図１７は、基地局Ｋと３台の車両に搭載された移動局Ｍ１〜Ｍ３を示している。基地局Ｋと移動局Ｍ１〜Ｍ３は、複数の符号化率を選択して通信を行うことができる。この場合、移動局Ｍ１〜Ｍ３は、基地局Ｋとの通信エリア内に移動局Ｍ１、Ｍ２、Ｍ３の順番で入ってきている。移動局Ｍ１は３つの基地局の中で最初に基地局Ｋとの通信を行っているので、基地局Ｋとの伝送路の状態を把握している。従って、基地局Ｋと移動局Ｍ１の路車間通信の通信品質を示す誤り制御情報を移動局Ｍ２に送信することができる。移動局Ｍ２は、移動局Ｍ１から受信した誤り制御情報に基づき基地局Ｋとの路車間通信の符号化率を決定し通信を行い、その通信結果の誤り制御情報を後方の移動局Ｍ３に送信する。
【０００５】
このように、この従来技術においては、基地局Ｋとの通信エリア内の移動局が、後続車両に搭載されている移動局に対して誤り制御情報を伝えることで、後方の移動局は、基地局Ｋに適応した符号化率を選択して通信を行い、情報量の低減を抑えるようにしている。
【０００６】
【発明が解決しようとする課題】
しかしながら、上記従来技術では、電波状態が極度に悪く、誤り訂正技術だけでは補えないような場合は、再送制御を繰り返してしまうという問題がある。
【０００７】
図１８に示すように、移動機１が目的地２に到達するまでの経路上には、天候の影響などで電波状態が極度に悪い地域３が存在する場合がある。このような場合は、地域３を通過するまでは何回再送を行っても失敗する可能性が高く、上記従来技術では再送制御を繰り返し、基地局と移動局間のトラフィックが増大してしまう。その結果、セル内の干渉が増えて無線システムとしてのスループットが低下してしまうという問題がある。
【０００８】
また、この従来技術では、再送を繰り返したり、移動局が常時伝送路の状態を監視する必要があるため、移動局の消費電力が増加し、バッテリーの消耗が激しくなるという問題もある。
【０００９】
さらに、誤り制御情報を後続車に伝えるための車車間通信の車間距離は一定ではない。そのため、車間距離が短くなると、通信を行う時間も短くなり、たとえば、移動局Ｍ２が基地局Ｋと通信を行って通信品質を移動局Ｍ３に送信する前に、移動局Ｍ３が基地局Ｋとの通信エリアに侵入してしまう場合や、先行車両がなく通信品質を受信できない場合は、基準値で通信を行わなければならないという問題もある。特に車間距離が短い場合は、通信品質が悪化することが予測できる場合でも通信を高速化する時間も限られてしまう。
【００１０】
この発明は上記に鑑みてなされたもので、基地局と移動局が通信中に、２局間の伝送路の状態が極めて悪い地域を予測し、その地域に入る前に高速で通信を行って終了させるようにし、伝送路の状態が極めて悪い地域内では、無駄な再送処理を軽減させる無線伝送制御システムを得ることを目的としている。
【００１１】
【課題を解決するための手段】
上記目的を達成するために、この発明にかかる無線伝送制御システムは、移動機およびカーナビゲーションを搭載している複数の車両と、路上に設置される複数の路側機と、前記複数の路側機と送受信失敗情報の集中管理を行う路側機制御サーバとを備え、前記移動機と前記カーナビゲーションが無線通信を行い、該カーナビゲーションと前記路側機が無線通信を行い、前記路側機と前記路側機制御サーバがネットワークを介して通信を行うことで前記移動機と前記路側機制御サーバが通信を行うことができる無線伝送制御システムにおいて、前記移動機が基地局との通信中に送受信を失敗し再送を繰り返すと、移動機がカーナビゲーションに対して送受信失敗通知を送信し、前記送受信失敗通知を受信したカーナビゲーションは前記移動機に再送中断通知を送信し該移動機の再送を中止させるとともに前記送受信失敗通知に現在の位置情報を付加した送受信失敗情報を前記路側機を介して前記路側機制御サーバに通報し、前記路側機制御サーバは、前記送受信失敗情報の位置情報に基づき通知用送受信失敗情報を配信する路側機を決定し、前記路側機は前記路側機制御サーバから受信した通知用送受信失敗情報を用いて記憶している送受信失敗情報を変更し走行中の車両に搭載されているカーナビゲーションに対し前記変更された送受信失敗情報を通知し、前記カーナビゲーションは、前記送受信失敗情報に基づき送受信失敗地帯を予測して通信制御情報を生成し、この生成した通信制御情報に基づく移動機の通信制御を行うことを特徴とする。
【００１２】
この発明によれば、移動機が基地局との通信中に送受信を失敗し再送を繰り返すと、移動機がカーナビゲーションに対して送受信失敗通知を送信し、送受信失敗通知を受信したカーナビゲーションは移動機に再送中断通知を送信し移動機の再送を中止させるとともに送受信失敗通知に現在の位置情報を付加した送受信失敗情報を路側機を介して路側機制御サーバに通報し、路側機制御サーバは、送受信失敗情報の位置情報に基づき通知用送受信失敗情報を配信する路側機を決定し、路側機は路側機制御サーバから受信した通知用送受信失敗情報を用いて記憶している送受信失敗情報を変更し走行中の車両に搭載されているカーナビゲーションに対し変更された送受信失敗情報を通知し、カーナビゲーションは、送受信失敗情報に基づき送受信失敗地帯を予測して通信制御情報を生成し、この生成した通信制御情報に基づく移動機の通信制御を行うようにしている。
【００１３】
つぎの発明にかかる無線伝送制御システムは、上記の発明において、前記カーナビゲーションは、前記車両の現在位置と前記送受信失敗地帯の２地点の距離に基づいて、前記通信制御情報を転送レート高速化通知、再送中断通知、再送再開通知の何れか一つに決定し、前記移動機は、前記転送レート高速化通知を受信した場合、基地局との通信を高速通信に切り換え、前記再送中断通知を受信した場合、基地局との通信で失敗が発生しても前記再送再開通知を受信するまでの間は再送通信を行わないことを特徴とする。
【００１４】
この発明によれば、カーナビゲーションは、車両の現在位置と送受信失敗地帯の２地点の距離に基づいて、通信制御情報を転送レート高速化通知、再送中断通知、再送再開通知の何れか一つに決定し、移動機は、転送レート高速化通知を受信した場合、基地局との通信を高速通信に切り換え、再送中断通知を受信した場合、基地局との通信で失敗が発生しても再送再開通知を受信するまでの間は再送通信を行わないようにしている。
【００１５】
つぎの発明にかかる無線伝送制御システムは、上記の発明において、前記路側機は、カーナビゲーションから前記送受信失敗情報を受信した場合、受信した送受信失敗情報に含まれる位置情報に基づき受信した送受信失敗情報を路側機制御サーバへ伝送する必要性があるか否かを判断し、必要がある場合のみ受信した送受信失敗情報を前記路側機制御サーバに伝達することを特徴とする。
【００１６】
この発明によれば、路側機は、カーナビゲーションから送受信失敗情報を受信した場合、受信した送受信失敗情報に含まれる位置情報に基づき受信した送受信失敗情報を路側機制御サーバへ伝送する必要性があるか否かを判断し、必要がある場合のみ受信した送受信失敗情報を路側機制御サーバに伝達するようにしている。
【００１７】
つぎの発明にかかる無線伝送制御システムは、上記の発明において、前記路側機制御サーバは、集中管理している送受信失敗情報を定期的にチェックし、前記送受信失敗情報の受信日時に基づいて、該送受信失敗情報の必要の有無を判断し、必要のない送受信失敗情報を削除するよう前記路側機に通知することを特徴とする。
【００１８】
この発明によれば、路側機制御サーバは、受信日時に基づいて送受信失敗情報を管理し、定期的に送受信失敗情報の必要性を判断し、必要のない送受信失敗情報は路側機サーバと路側機から削除するようにしている。
【００１９】
【発明の実施の形態】
以下に添付図面を参照して、この発明にかかる無線伝送制御システムの実施の形態を詳細に説明する。
【００２０】
実施の形態１．
図１〜図１４を用いてこの発明の実施の形態１を説明する。この実施の形態１では、携帯電話やＰＨＳ（personal handyphone system）やＰＤＡ（Personal Digital Assistance）などの移動体通信を行う移動機とカーナビ（カーナビゲーション）を搭載した複数の車両で、それぞれの移動機が基地局と通信を行っている時に電波状態の悪い地帯を走行して、基地局との通信に再送処理が頻繁に発生する場合、移動機はその状況を送受信失敗通知として自車に搭載されたカーナビに通知する。通知を受けたカーナビは、移動機に再送中断通知を送信して移動機の再送処理を中止させるとともに、ＧＰＳ（Global Positioning System：全地球無線測位システム）を用いて測定した現在地の位置情報を移動機から送信された送受信失敗通知に付加した送受信失敗情報を形成し、この送受信失敗情報を路側機に通知する。通知を受けた路側機は、この送受信失敗情報をネットワークを介して複数の路側機と送受信失敗情報を管理している路側機制御サーバに通知する。このようにして移動機と基地局の通信状態が悪い位置情報が路側機制御サーバに集まってくる。これらの情報は路側機制御サーバから路側機を介してカーナビに通知される。カーナビは路側機から通知された複数の送受信失敗情報と走行ルートから電波状態の悪い送受信失敗地帯を予測し、移動機の通信制御を行うための通信制御情報（転送レート高速化通知、再送中断通知、再送再開通知）を自車の移動機に送信し、移動機の通信制御を行う。
【００２１】
移動機からカーナビ、路側機、路側機制御サーバへの通信を上り通信、路側機制御サーバから路側機、カーナビ、移動機への通信を下り通信とする。
【００２２】
図１は、実施の形態１の無線伝送制御システムの構成を示すブロック図である。実施の形態１における無線伝送制御システムは、移動機２０とカーナビ３０を搭載している複数の車両（この場合先行車両１０ａ、対向車両１０ｂ、後続車両１０ｃの３台）と、それぞれの車両に搭載されているカーナビ３０と、無線通信を行う複数の路側機４０ａ〜４０ｃ（この場合３台）と、ネットワークを介して路側機４０ａ〜４０ｃと接続され、路側機４０ａ〜４０ｃの制御を行う路側機制御サーバ５０と、カーナビ３０が位置情報を取得するために用いられるＧＰＳ衛星６０で構成されている。
【００２３】
先行車両１０ａと後続車両１０ｃは同一方向に、対向車両１０ｂは先行車両１０ａの前方から先行車両１０ａに向かって、それぞれの車両に搭載されているカーナビ３０に設定されている目的地に向かって走行している。先行車両１０ａは路側機４０ａの通信エリアを走行し、対向車両１０ｂは路側機４０ｂの通信エリアを走行し、後続車両１０ｃは路側機４０ｃの通信エリアを走行している。先行車両１０ａと対向車両１０ｂは基地局との通信に再送が繰り返されているものとする。路側機４０ａ〜４０ｃは、それぞれが記憶している送受信失敗情報を当該通信エリア内を走行中の車両に搭載されているカーナビ３０が受信できるように、送受信失敗情報を一定時間間隔で送信し続けている。なお、移動機２０が通信回線に接続するための基地局については図示していないが、先行車両１０ａ、対向車両１０ｂ、後続車両１０ｃに搭載されている移動機２０は同じ基地局と通信しているものとする。
【００２４】
図２は、図１に示した移動機２０の構成を示すブロック図である。移動機２０は、通信制御情報送受信部２１と、送受信制御部２２と、送受信実施部２３を備えている。
【００２５】
移動機２０の通信制御情報送受信部２１は、Ｂｌｕｅｔｏｏｔｈなどの無線通信を用いて自車に搭載されたカーナビ３０と相互通信を行う。送受信制御部２２は、カーナビ３０から送信された通信制御情報に基づいて送受信実施部２３の制御を行う。送受信実施部２３は、基地局への送受信を行う。
【００２６】
図３は、図１に示したカーナビ３０の構成を示すブロック図である。カーナビ３０は、移動機通信部３１と、位置情報測定部３２と、送受信失敗情報生成部３３と、移動機通信制御部３５と、路側機通信部３４を備えている。
【００２７】
移動機通信部３１は、Ｂｌｕｅｔｏｏｔｈなどの無線通信を用いて自車の移動機２０と相互通信を行う。位置情報測定部３２は、ＧＰＳ衛星６０から発せられた電波を受信して、その電波に基づいてカーナビ３０が所在する緯度、経度などの位置情報を算出する。送受信失敗情報生成部３３は、自車の移動機２０から送信された送受信失敗通知に位置情報測定部３２で測定された位置情報を付加し、送受信失敗情報を生成する。路側機通信部３４は、無線通信を用いて路側機４０ａ〜４０ｃと相互通信を行う。移動機通信制御部３５は、路側機から受信した送受信失敗情報に基づき、移動機２０に対して通信制御情報を送信する必要があるか決定し、送信が必要な場合は、通信制御情報を生成する。
【００２８】
図１に示した路側機４０ａ〜４０ｃは全て同じ機能を備えている。図４に示した路側機４０ａの構成を示すブロック図を参照して路側機の機能を説明する。路側機４０ａは、カーナビ通信部４１と、送受信失敗情報管理部４２と、送受信失敗情報記憶部４３と、路側機制御サーバ通信部４４を備えている。
【００２９】
カーナビ通信部４１は、無線通信を用いてカーナビ３０と相互通信を行う。送受信失敗情報管理部４２は、カーナビ３０から受信した送受信失敗情報を路側機制御サーバ５０に送信する必要の有無の判断と送受信失敗情報の管理を行う。送受信失敗情報記憶部４３は、送受信失敗情報とその受信日時を記憶する。路側機制御サーバ通信部４４は、ネットワークを介して路側機制御サーバ５０と通信を行う。
【００３０】
図５は、図１で示した路側機制御サーバ５０の構成を示すブロック図である。路側機制御サーバ５０は、路側機通信部５１と、送受信失敗情報管理部５２と、記憶部５３を備えている。
【００３１】
路側機通信部５１は、ネットワークを介して路側機４０ａ〜４０ｃと通信を行う。送受信失敗情報管理部５２は、路側機４０ａ〜４０ｃから受信した送受信失敗情報を集中管理し、記憶部５３に記憶されている路側機の配置位置と送受信失敗情報に含まれる位置情報に基づき、路側機４０ａ〜４０ｃに配信する送受信失敗情報を決定する。記憶部５３は、送受信失敗情報と複数の路側機の配置位置を記憶している。
【００３２】
つぎに、図６〜図１５を参照して実施の形態１の無線伝送制御システムの動作を説明する。
【００３３】
図６は、先行車両１０ａの移動機２０の上り通信の動作を示すフローチャートである。先行車両１０ａは、走行中に移動機２０を使用して基地局を介して通信を行っている。つまり、通信制御情報送受信部２１がカーナビ３０からの通信制御情報を受信していない場合は、送受信実施部２３は、通信回線、インターネットを介してメールやｗｗｗ（World Wide Web）閲覧などを行っている。送受信実施部２３は、通話中に基地局との間に通信の失敗が発生すると（図６ステップＳ１００）、再送通信を行い、再送通信にも失敗すると送受信制御部２２に再送通信が失敗したことを知らせる（図６ステップＳ１０１、Ｓ１０２）。
【００３４】
送受信制御部２２は、送受信実施部２３から再送通信が失敗したことを通知されると、送受信失敗通知を送信するかどうか判断を行う（図６ステップＳ１０３）。例えば、先行車両１０ａが、トラックや車高の高い車の側を走行したために一時的に送受信が不安定になり発生した再送失敗であるのか、天候や地形などの問題で継続的に発生した再送失敗であるのかなどの状況判断をするために、予め一定時間ｔと回数ｘを決めておき、ｔ時間内に再送失敗がｘ回を越えた場合受信失敗通知の送信が必要であるというような判断基準に従って送受信失敗通知の送信を行うかを決定する。送受信失敗通知を送信する必要があると判断された場合（図６ステップＳ１０４）、通信制御情報送受信部２１は、当該移動機と基地局との再送通信に失敗が発生したことを知らせる送受信失敗通知を先行車両１０ａ（自車）のカーナビ３０に送信する（図６ステップＳ１０５）。
【００３５】
図７は、先行車両１０ａのカーナビ３０の上り通信の動作を示すフローチャートである。移動機通信部３１は、先行車両１０ａの移動機２０から送信された送受信失敗通知を受信すると、その通知を送受信失敗情報生成部３３に転送する（図７ステップＳ２００、Ｓ２０１）。送受信失敗情報生成部３３は、移動機通信部３１から送受信失敗通知を受け取ると、位置情報測定部３２に位置情報の問い合わせを行う。位置情報測定部３２は、ＧＰＳ衛星６０を用いて現在の位置情報を測定し、送受信失敗情報生成部３３に測定した位置情報を通知する（図７ステップＳ２０２）。位置情報を受け取った送受信失敗情報生成部３３は、送受信失敗通知に位置情報と先行車両１０ａの移動方向の情報を付加した送受信失敗情報を生成する（図７ステップＳ２０３）。路側機通信部３４は、送受信失敗情報生成部３３で生成された送受信失敗情報を路側機４０ａに送信する（図７ステップＳ２０４）。また、移動機通信部３１は、自車の移動機２０の再送を中止させるため再送中断通知を送信する（図７ステップＳ２０５）。なお、詳細な動作については後述するが、再送中断通知を受信した先行車両１０ａの移動機２０は、基地局との通信に失敗が発生しても再送通信は行わない。
【００３６】
図８は、路側機４０ａの上り通信の動作を示すフローチャートである。カーナビ通信部４１は、先行車両１０ａのカーナビ３０から送信された送受信失敗情報を受信すると、この送受信失敗情報を送受信失敗情報管理部４２に転送する（図７ステップＳ３０１、Ｓ３０２）。送受信失敗情報管理部４２は、送受信失敗情報記憶部４３に既に記憶されている送受信失敗情報を読み出す。読み出された送受信失敗情報に含まれる位置情報と現時点で受信した送受信失敗情報に含まれる位置情報から２地点の距離を算出し、２地点の距離が最も近い送受信失敗情報を選出する。最も近い２地点の距離を予め決められていたＴｒ１＜Ｔｒ２の関係が成り立つ２つの距離設定値Ｔｒ１、Ｔｒ２と比較する（図８ステップＳ３０３）。２地点の距離が設定値Ｔｒ１よりも近かった場合は（図８ステップＳ３０４）、受信した送受信失敗情報を破棄して処理を終了する（図８ステップＳ３０５）。つまり、きわめて近い距離にあるので、記憶されている送受信失敗情報と同一情報と判断する。
【００３７】
算出された２地点の距離が設定値Ｔｒ１より離れていて、設定値Ｔｒ２より近い場合は（図８ステップＳ３０６、Ｙｅｓ）、現時点で受信した送受信失敗情報を破棄し、記憶されていた送受信失敗情報の受信日時を現在時刻に変更する（図８ステップＳ３０７、Ｓ３０８）。算出された２地点が設定値Ｔｒ２より離れている場合は、受信した送受信失敗情報と記憶されている送受信失敗情報は別の情報と考えられるので、受信した送受信失敗情報に受信日時を付加する（図８ステップＳ３０９）。路側機制御サーバ通信部４４は、ネットワークを介して受信日時付き送受信失敗情報を路側機制御サーバ５０に送信する（図８ステップＳ３１０）。
【００３８】
図９は、路側機制御サーバ５０の動作を説明するためのフローチャートである。路側機通信部５１は、路側機４０ａから送信された受信日時付き送受信失敗情報を受信すると送受信失敗情報管理部５２に転送する（図９ステップＳ４００、Ｓ４０１）。送受信失敗情報管理部５２は、記憶部５３に記憶されている受信日時付き受信失敗情報を読み出し、これらに受信した受信日時付き受信失敗情報を含めて受信日時順に並べ替える（図９ステップＳ４０２、４０３）。
【００３９】
受信した受信日時付き送受信失敗情報と記憶部５３に記憶されている受信日時付き送受信失敗情報を比較して送受信失敗情報が一致する場合は（図９ステップＳ４０４、Ｙｅｓ）、古い受信日時付き送受信失敗情報を削除し、受信した受信日時付き送受信失敗情報を記憶部５３に記憶して処理を終了する（図９ステップＳ４０５、Ｓ４０６）。
【００４０】
受信した受信日時付き送受信失敗情報と記憶部５３に記憶されている受信日時付き送受信失敗情報を比較して送受信失敗情報が一致するものがない場合は（ステップＳ４０４、Ｎｏ）、受信した受信日時付き送受信失敗情報が記憶部５３に記憶される（図９ステップＳ４０７）。送受信失敗情報管理部５２は、記憶部５３に記憶されている路側機４０ａ〜４０ｃの配置位置情報を読み出す（図９ステップＳ４０８）。読み出した路側機４０ａ〜４０ｃの配置位置と受信した受信日時付き送受信失敗情報に含まれている位置情報から、受信した送受信失敗情報を配信すべき路側機を決定する（図９ステップＳ４０９）。配信すべき路側機（この場合は路側機４０ａ〜４０ｃ）が決定すると、通知用送受信失敗情報を生成する。通知用送受信失敗情報は、受信日時付きの送受信失敗情報に、路側機を識別するためのＩＤと、送受信失敗情報を追加または削除するという情報を持つ制御フラグとを付加した情報である。具体的には、先行車両１０ａから送られてきた送受信失敗情報を路側機４０ａ〜４０ｃに追加するために、受信日時付きの送受信失敗情報に路側機４０ａ〜４０ｃのそれぞれに対応するＩＤと追加フラグを付加した通知用送受信失敗情報を生成する（図９ステップＳ４１０）。路側機通信部５１は、生成された通知用送受信失敗情報を路側機４０ａ〜４０ｃに送信する（図９ステップＳ４１１）。
【００４１】
上述したように先行車両１０ａの移動機２０が基地局との通信で再送が頻発した場合、路側機制御サーバ５０に受信日時付きの送受信失敗情報が送信されてくる。対向車両１０ｂが走行している地域も電波状態が悪いため、対向車両１０ｂからも受信日時付きの送受信失敗情報が路側機４０ｂを介して路側機制御サーバ５０に送信されてくるが、その動作は先行車両１０ａと同様となるのでここではその説明を省略する。
【００４２】
図１０は、路側機４０ａの下り通信の動作を説明するためのフローチャートである。路側機４０ｂ、４０ｃも同様の動作を行う。路側機制御サーバ通信部４４は、通知用送受信失敗情報を受信すると、この受信した通知用送受信失敗情報を送受信失敗情報管理部４２に転送する（図１０ステップＳ５００、Ｓ５０１）。通知用送受信失敗情報に含まれる制御フラグが追加フラグか削除フラグかを判定する（図１０ステップＳ５０２）。削除フラグの場合は送受信失敗情報記憶部４３に記憶されている送受信失敗情報の中から、通知用送受信失敗情報に含まれる送受信失敗情報と一致する情報を削除する（図１０ステップＳ５０３）。追加フラグの場合は、送信されてきた通知用送受信失敗情報からＩＤと追加フラグを除く受信日時付き送受信失敗情報を送受信失敗情報記憶部４３に記憶する（図１０ステップＳ５０４）。
【００４３】
送受信失敗情報管理部４２は、送受信失敗情報記憶部４３に記憶されている情報が変更されると、記憶されている送受信失敗情報をカーナビ３０に送信可能なフォーマットに変換する（図１０ステップＳ５０５）。変換された送受信失敗情報は、カーナビ通信部４１を介して先行車両１０ａ（路側機４０ｂは対向車両１０ｂ、路側機４０ｃは後続車両１０ｃ）のカーナビ３０が受信できるように、一定間隔で送信される（図１０ステップＳ５０６）。
【００４４】
図１１は、カーナビ３０の下り通信の動作を説明するためのフローチャートである。路側機通信部３４が送受信失敗情報を受信すると、この送受信失敗情報は移動機通信制御部３５に転送される（図１１ステップＳ６００、Ｓ６０１）。移動機通信制御部３５は、位置情報測定部３２に現在の位置を問い合わせる（図１１ステップＳ６０２）。位置情報測定部３２は、ＧＰＳ衛星６０を用いて現在の位置情報を測定し、移動機通信制御部３５に測定した位置情報を通知する（図１１ステップＳ６０３）。移動機通信制御部３５は、測定された位置情報と現在のルートを照合し、通信制御情報の通知の必要性を判断する（図１１ステップＳ６０４、Ｓ６０５）。
【００４５】
図１２と図１３のフローチャートを参照して、通信制御情報の通知の必要性の判定手順を説明する。路側機通信部３４が受信し移動機通信制御部３５に転送された送受信失敗情報には、送受信失敗の位置情報と車両の移動方向情報が含まれているので、この送受信失敗情報は、例えば、「位置ＸからＭ時方向に向かって走行を行ったときに送受信が失敗した」という意味を含んでいる。このような情報を複数受信している。従って、移動機通信制御部３５は、路側機から受信した送受信失敗情報に基づき、走行ルート上に送受信失敗情報の示す位置があるか否かを判断する（図１３ステップＳ７００）。ルート上に送受信失敗情報の示す位置があり、その移動方向情報がルート上の進行方向とほぼ一致している場合は（図１３ステップＳ７０１、Ｙｅｓ）、その送受信失敗情報の位置Ｘを送受信失敗地帯開始ポイントと判断する（図１３ステップＳ７０２）。
【００４６】
一方、送受信失敗情報の示す位置が走行ルート上にあるが、その移動方向情報がルート上の進行方向とほぼ逆方向である場合は、（図１３ステップＳ７０１、Ｎｏ）、送受信失敗情報の位置を送受信失敗地帯終了ポイントと判断する（図１３ステップＳ７０３）。このような、送受信失敗情報、走行ルートが逆方向である対向車両からの送受信失敗情報に基づいて得られる。
【００４７】
このようにして得られた開始ポイントおよび終了ポイントによって送受信失敗地帯を検索することができる。
【００４８】
このように受信した全ての送受信失敗情報について、その送受信失敗エリアが走行ルート上にある場合は送受信失敗地帯開始ポイントと送受信失敗地帯終了ポイントに分類する動作を繰り返し、走行ルート上に存在する送受信失敗地帯を検索する（図１３ステップＳ７０４）。送受信失敗情報に含まれる位置情報が走行ルート上から離れているものは不要と判断して、送受信失敗地帯開始ポイント、送受信失敗地帯終了ポイントのどちらにも分類しない。
【００４９】
図１２の場合は、出発地７５から目的地７６までルート７０を通って走行する。路側機から受信した送受信失敗情報の中に、「位置ＸからＭ時方向に向かって走行したときに送受信が失敗した」という送受信失敗情報Ｍがあるとする。位置Ｘがルート７０上にあり、かつＭ時方向は当該車両の進行方向とも一致するので、位置Ｘが送受信失敗地帯の開始ポイントＸとなる。また、「位置ＹからＮ時方向に向かって走行した場合、受信が失敗した」という情報が得られる場合は、位置Ｙがルート７０上にあり、Ｎ時方向は、当該車両の位置Ｙでの進行方向と逆方向なので、位置Ｙが送受信失敗地帯の終了ポイントＹとなる。このようにして、送受信失敗地帯が検索される。
【００５０】
送受信失敗地帯の検索が終了すると、カーナビ３０の移動機通信制御部３５は、現在自車の移動機２０が再送中断中であるか否かを判断する（ステップＳ７０５）。すなわち、移動機２０に最後に通知した通信制御情報が再送中断通知である場合は、現在再送中断中であると判断し、移動機２０に再送中断通知を送信していない場合は、再送中断中ではないと判断する。現在再送中断中であると判断した場合、カーナビ３０の移動機通信制御部３５は、現在位置と送受信失敗地帯開始ポイントとの距離を、設定値Ｔｈ１と比較する（図１３ステップＳ７０６）。そして、現在位置と送受信失敗地帯の終了ポイントの距離が予め決められた設定値Ｔｈ１よりも近かった場合は（図１３ステップＳ７０６、Ｙｅｓ）、現在送受信失敗地帯を通過中でその後すぐに送受信失敗地帯を通過してしまうと予測し再送再開通知を移動機２０に送信すると判断する（図１３ステップＳ７０７）。すなわち、この場合は、直ぐに電波状況が改善されることが予測されるので、再送再開通知を送るのが必要であると判断している。一方、現在位置と送受信失敗地帯終了ポイントの距離が設定値Ｔｈ１よりも離れている場合は（図１３ステップＳ７０６、Ｎｏ）、現在送受信失敗地帯を通過中でまだしばらくは電波状況も改善されないと予測し、再送再開通知の送信は必要ないと判断する（図１３ステップＳ７０８）。
【００５１】
また、ステップＳ７０５において、現在再送中断中でないと判断された場合、（図１３ステップＳ７０５、Ｎｏ）、カーナビ３０の移動機通信制御部３５は、現在位置と送受信失敗地帯の開始ポイントとの距離を、設定値Ｔｈ２、Ｔｈ３（Ｔｈ２＜Ｔｈ３の関係が成り立つように設定されている）と比較する（ステップＳ７０９）。そして、現在位置と送受信失敗地帯の開始ポイントとの距離が設定値Ｔｈ２よりも近かった場合は（図１３ステップＳ７０９、Ｙｅｓ）、その後すぐに送受信失敗地帯に侵入すると予測し、再送中断通知を移動機２０に送信すると判断する（図１３ステップＳ７１０）。現在位置と送受信失敗地帯開始ポイントの距離が設定値Ｔｈ３とＴｈ２の間にある場合は（図１３ステップＳ７１１、Ｙｅｓ）、まだ余裕はあるが送受信失敗地帯に近づいていると予測し、通信を高速化して終了できるように移動機２０に転送レート高速化通知を送信すると判断する（図１３ステップＳ７１２）。現在位置と送受信失敗地帯開始ポイントの距離が設定値Ｔｈ３より離れている場合は（図１３ステップＳ７１１、Ｎｏ）、送受信失敗地帯まで十分な距離があると予測し、移動機２０に対し特に通知を行わないと判断する（図１３ステップＳ７１３）。
【００５２】
図１２の場合は、出発地７５から目的地７６のルート上に送受信失敗地帯の開始ポイントＸと終了ポイントＹで示される送受信失敗地帯が存在する。車両が現在位置７１にあるときには、送受信失敗地帯開始ポイントＸとの距離は直線距離でｘ１であり、設定値Ｔｈ３より離れているので通信制御情報の通知は不要と判断される。車両が現在位置７２にあるときには、送受信失敗地帯の開始ポイントＸとの距離は現在位置７１より近くなり直線距離でｘ２となる。距離ｘ２はＴｈ３より近くＴｈ２より離れているため、現在行っている通信を送受信失敗地帯に入る前に終了させるために転送レート高速化通知の送信が必要であると判断される。車両が現在位置７３にあるときには、送受信失敗地帯開始ポイントＸからの距離はｘ３でＴｈ２より近くなり、送受信失敗地帯に直ぐに侵入していくので、再送中断通知が必要であると判断される。車両が現在位置７４にあるときには、車両と終了ポイントＹとの距離が、設定値Ｔｈ１よりも小さい状況であるので、車両が送受信失敗地帯終了ポイントを通過終了したばかりと判断し、通常の通信状態に戻すために再送再開通知の送信が必要であると判断される。
【００５３】
なお、カーナビ３０においては、判断基準となる設定値Ｔｈ１、Ｔｈ２、Ｔｈ３を任意に設定変更することができる。
【００５４】
このようにして移動機通信制御部３５は、通信制御情報を決定する。通知する通信制御情報が存在する場合（図１１ステップＳ６０６）、移動機通信部３１は、通信制御情報を移動機２０に送信する（図１１ステップＳ６０７）。
【００５５】
移動機通信制御部３５は、送受信失敗地帯を通り抜け、走行ルート上に送受信失敗地帯がなくなるまで、定期的に位置情報を測定し、ルートの照合を行い通信制御情報を送信する必要があるか否かを判断し、送信する必要がある場合は送信を行う動作を繰り返し（図１１ステップＳ６０３〜Ｓ６０８）、完全に送受信失敗地帯を脱出した場合は、再送再開通知を移動機通信部３１から送信する（図１１ステップＳ６０９）。
【００５６】
図１４は、移動機２０の下り通信の動作を説明するためのフローチャートである。通信制御情報送受信部２１は、通信制御情報を受信すると送受信制御部２２に転送する（図１４ステップＳ８００、Ｓ８０１）。受信した通信制御情報が転送レート高速化通知の場合は（図１４ステップＳ８０２）、基地局との通信の転送レートを高速化するように送受信実施部２３の設定を行い、送受信実施部２３は基地局との通信を高速で行う（図１４ステップＳ８０３）。通話中に基地局との間に通信の失敗が発生すると（図１４ステップＳ８０４）再送通信を行い、再送通信にも失敗すると送受信制御部２２に再送通信が失敗したことを知らせる（図１４ステップＳ８０５、Ｓ８０６）。
【００５７】
送受信制御部２２は、送受信失敗通知を送信するかどうか判断を行う（図１４ステップＳ８０７）。例えば、先行車両１０ａが、トラックや車高の高い車の側を走行したために一時的に送受信が不安定になり発生した再送失敗であるのか、天候や地形などの問題で継続的に発生した再送失敗であるのかなどの状況判断をするために、予め一定時間ｔと回数ｘを決めておき、ｔ時間内に再送失敗がｘ回を越えた場合受信失敗通知の送信が必要であるというような判断基準に従って送受信失敗通知の送信を行うかを決定する。送受信失敗通知を送信する必要があると判断された場合（図１４ステップＳ８０８）、通信制御情報送受信部２１は、失敗が発生したことを知らせる送受信失敗通知を送信する（図１４ステップＳ８０９）。つぎに、送受信制御部２２は、転送レートを通常に切り換えるよう送受信実施部２３に通知し、送受信実施部２３は、転送レートを通常に切り換えて通信を行う（図１４ステップＳ８１０）。
【００５８】
通信制御情報が、再送中断通知だった場合は（図１４ステップＳ８１１、Ｙｅｓ）、送受信制御部２２は、通信中に通信失敗が発生しても再送通信を行わないよう送受信実施部２３に再送中断の設定を行い、つぎに再送再開の設定がされるまで送受信実施部２３は基地局との通信に失敗が発生しても再送を行わない（図１４ステップＳ８１２）。通信制御情報が再送再開通知の場合は（図１４ステップＳ８１１、Ｎｏ）、送受信制御部２２は、通信中に送信失敗が発生した場合、再送通信を行うよう送受信実施部２３に再送通信の設定を行い、送受信実施部２３は再送中断の設定が行われるまで、基地局との通信に失敗が発生すると再送通信を行う（図１４ステップＳ８１３）。
【００５９】
図１の場合は、先行車両１０ａと対向車両１０ｂに搭載されているそれぞれの移動機２０に再送の失敗が発生し、路側機４０ａ、４０ｂを介して路側機制御サーバ５０に新しく送受信失敗情報が追加され、その情報が路側機４０ａ〜４０ｃに送信され追加される。後続車両１０ｃのカーナビ３０は、路側機４０ｃから送信される送受信失敗情報を受信して送受信失敗地帯を予測し、搭載されている移動機２０の通信の制御を行うことができる。
【００６０】
このようにこの実施の形態１では、移動機が基地局との通信中に送受信を失敗し再送を繰り返すと、カーナビゲーションに対して送受信失敗通知を送信し、送受信失敗通知を受信したカーナビゲーションは、移動機に再送中断通知を送信し移動機の再送を中止させるとともに、送受信失敗通知に現在の位置情報を付加した送受信失敗情報を路側機を介して路側機制御サーバに通報し、路側機制御サーバは、送受信失敗情報の位置情報に基づき通知用送受信失敗情報を配信する路側機を決定し、路側機は通知用送受信失敗情報から路側機が記憶している送受信失敗情報を変更し走行中の車両に搭載されているカーナビゲーションに変更された送受信失敗情報を通知し、前記カーナビゲーションは、送受信失敗情報に基づき送受信失敗地帯を予測して通信制御情報を生成し、移動機の通信制御を行うようにしているため、移動機と基地局が無駄な通信を行わずにセル内の干渉を減らし、効率よく無線システムを活用することで、スループットを向上することができる。
【００６１】
また、カーナビゲーションは、車両の現在位置と送受信失敗地帯の距離に基づいて、移動機に対して送信する通信制御情報を、転送レート高速化通知、再送中断通知、再送再開通知の何れかに決定し、移動機は、転送レート高速化通知を受信した場合は、基地局との通信を高速通信に切り換えて通信を早く終了するようにし、再送中断通知を受信した場合は、再送再開通知を受信するまでは、基地局との通信で失敗が発生しても再送を行わないようにしているため、移動機の消費電力を減らし、バッテリーの消耗を抑えることができる。
【００６２】
さらに、カーナビゲーションが通信失敗地域を予測するための送受信失敗情報は、移動機がカーナビゲーションに送信する送受信失敗通知を基に生成され、路側機が伝達する際に、それぞれが伝達の必要性があるかどうかを判断して、必要がある場合のみ路側機制御サーバに伝達して路側機制御サーバが集中管理を行うようにしているため、必要最低限のデータのやり取りで、路側機制御サーバが管理する送受信失敗情報を最新の状態にすることができる。
【００６３】
なお、移動機２０が再送中断通知を受信し、再送を行わずに動作する場合、送受信制御部２２は、なんらかの原因で再送再開通知が送信されてこなかった場合を考え、任意のタイマをセットしておき、タイムアウトした場合には、自律的に移動機２０が再送再開の設定を行い、カーナビ３０が移動機に対して送信した通信制御情報が再送中断通知以外であると通知するようにしておくとよい。
【００６４】
実施の形態２．
図１５を用いてこの発明の実施の形態２を説明する。この実施の形態２は、路側機制御サーバによる路側機での送受信失敗情報の管理に関するものである。この実施の形態２の無線伝送制御システムの構成は、図１に示すものと同様となるのでここではその説明を省略する。
【００６５】
図１５は、路側機制御サーバ５０が記憶している送受信失敗情報の管理動作を説明するためのフローチャートである。送受信失敗情報管理部５２は、記憶部５３に記憶されている受信日時付き送受信失敗情報を読み出し、受信日時が予め決められた期間より古い送受信失敗情報を検索する（ステップＳ９００）。古い送受信失敗情報があった場合は、記憶部５３に記憶されている路側機の配置位置情報を読み出す（ステップＳ９０１）。送受信失敗情報管理部５２は、送受信失敗情報に含まれる位置情報と記憶部５３から読み出した路側機の配置位置情報から２地点の距離を算出し、算出した距離が規定値内に位置している路側機を送受信失敗情報を削除すべき路側機として決定する（ステップＳ９０２）。送受信失敗情報管理部５２は、送受信失敗情報を削除する情報を配信すべき路側機が決定すると、受信日時付きの送受信失敗情報に路側機を識別するためのＩＤと送受信失敗情報を削除するという情報を持つ制御フラグ（ここでは削除フラグ）を付加した通知用送受信失敗情報を生成する。（ステップＳ９０３）。路側機通信部５１は、通知用送受信失敗情報を送信する（ステップＳ９０４）。
【００６６】
路側機制御サーバ５０から送信された通知用送受信失敗情報を受信した路側機の動作は、実施の形態１で説明した図１０の路側機４０ａの下り通信のフローチャートと同様となるのでここでは詳細な説明は省略する。
【００６７】
すなわち、路側機制御サーバ５０から通知用送受信失敗情報を受信した路側機は、制御フラグを確認し、この場合は削除フラグが付加されているので送受信失敗情報記憶部４３に記憶されている受信日時付き送受信失敗情報の中から、通知用送受信失敗情報に含まれる受信日時付き送受信失敗情報と一致する送受信情報を検索して削除する。
【００６８】
このように実施の形態２では、路側機制御サーバは、受信日時に基づいて送受信失敗情報を管理し、定期的に送受信失敗情報の必要性を判断し、必要のない送受信失敗情報は路側機サーバと路側機から削除するようにしているため、必要最低限のデータのやり取りで、路側機制御サーバが管理する送受信失敗情報と路側機が記憶する送受信失敗情報を最新の状態にすることができる。
【００６９】
特に、渋滞時に移動機が通信中の場合に、トラックなどの車高が高い車両によって電波状態が悪くなり基地局との送受信が失敗してしまったような、一時的な要因によって路側機制御サーバに登録された送受信失敗情報を削除する場合に有効となる。
【００７０】
実施の形態３．
図１６は、実施の形態３の無線伝送制御システムの構成を示すブロック図である。実施の形態３の無線伝送制御システムは、先行列車８０ａ、対向列車８０ｂ、後続列車８０ｃの列車が走行している。先行列車８０ａは、車両９３、９４が連結されている。対向列車８０ｂは、車両９５、９６が連結されている。後続列車８０ｃは、車両９１、９２が連結されている。車両９１、９３、９５には、移動機２０と中継装置９０とカーナビ３０がそれぞれ搭載されている。車両９２、９４、９６には、それぞれ中継装置９０と移動機２０が搭載されている。図１に示した実施の形態１と同じ機能を持つ構成部分には同一符号を付し、重複する説明は省略する。
【００７１】
中継装置９０は、移動機２０とカーナビ３０の中継を行い、カーナビ３０と１対複数の通信が可能な通信制御を行う機能を備えている。
【００７２】
実施の形態３では、先行列車８０ａと対向列車８０ｂが移動機２０と基地局の通信状態が悪い遅滞を走っている場合について動作を説明する。
【００７３】
車両９３内で使用されている移動機２０は、図６のフローチャートに示した移動機上り通信処理にしたがって、車両９３に搭載されている中継装置９０を介して車両９３のカーナビ３０に送受信失敗通知を送信する。車両９３のカーナビ３０は、中継装置９０を介して移動機２０から送受信失敗通知を受信すると、図７のフローチャートに示したカーナビ上り通信処理にしたがって、路側機４０ａに送受信失敗情報を送信する。車両９３に搭載されているカーナビ３０から送受信失敗通知を受信した路側機４０ａは、図８のフローチャートに示した路側機上り通信処理にしたがって、送受信失敗情報を路側機制御サーバ５０に送信する必要がある場合は（この場合は必要）受信日時付き送受信失敗情報を路側機制御サーバ５０にネットワークを介して送信する。
【００７４】
車両９５で使用されている移動機２０についても、車両９３内で使用されている移動機２０の動作と同様に路側機４０ｂを介して受信日時付き送受信失敗情報を路側機制御サーバ５０に送信する。
【００７５】
路側機４０ａ、４０ｂから受信日時付き送受信失敗情報を受信した路側機制御サーバ５０は、図９のフローチャートに示した通信制御情報更新処理にしたがって、受信した受信日時付き送受信失敗情報を新しい情報として追加し、路側機４０ａ〜４０ｃに対して通知用送受信失敗情報を送信する。
【００７６】
路側機制御サーバ５０から通知用送受信失敗情報を受信した路側機４０ａは、図１０のフローチャートに示した路側機下り通信処理にしたがって、車両９３のカーナビ３０が送受信失敗情報を受信できるように、一定間隔で送信する。路側機４０ｂは、車両９５のカーナビ３０に、路側機４０ｃは、車両９１のカーナビ３０に対して同様の処理を行う。
【００７７】
カーナビ３０は、図１１のフローチャートに示したカーナビ下り通信処理にしたがって、中継装置９０を介して複数の移動機２０の通信制御を行う。
【００７８】
このように実施の形態３では、列車にカーナビを搭載し、中継装置を介してカーナビと移動機が１対複数で通信を行えるようにして、移動機が基地局との通信中に送受信を失敗し再送を繰り返すと、カーナビゲーションに対して中継装置を介して送受信失敗通知を送信し、送受信失敗通知を受信したカーナビゲーションは、移動機に中継装置を介して再送中断通知を送信し移動機の再送を中止するとともに、送受信失敗通知に現在の位置情報を付加した送受信失敗情報を路側機を介して路側機制御サーバに通報し、路側機制御サーバは、送受信失敗情報の位置情報に基づき通知用送受信失敗情報を配信する路側機を決定し、路側機は通知用送受信失敗情報から路側機が記憶している送受信失敗情報を変更し走行中の車両に搭載されているカーナビゲーションに変更された送受信失敗情報を通知し、前記カーナビゲーションは、送受信失敗情報に基づき送受信失敗地帯を予測して通信制御情報を生成し、中継装置を介して列車内の複数の移動機の通信制御を行うようにしているため、移動機と基地局が無駄な通信を行わずにセル内の干渉を減らし、効率よく無線システムを活用することで、スループットを向上することができ、列車内で通信中の移動機の数が多いほどこの効果は高くなる。
【００７９】
【発明の効果】
以上説明したように、この発明によれば、移動機が基地局との通信中に送受信を失敗し再送を繰り返すと、移動機がカーナビゲーションに対して送受信失敗通知を送信し、送受信失敗通知を受信したカーナビゲーションは移動機に再送中断通知を送信し移動機の再送を中止させるとともに送受信失敗通知に現在の位置情報を付加した送受信失敗情報を路側機を介して路側機制御サーバに通報し、路側機制御サーバは、送受信失敗情報の位置情報に基づき通知用送受信失敗情報を配信する路側機を決定し、路側機は路側機制御サーバから受信した通知用送受信失敗情報を用いて記憶している送受信失敗情報を変更し走行中の車両に搭載されているカーナビゲーションに対し変更された送受信失敗情報を通知し、カーナビゲーションは、送受信失敗情報に基づき送受信失敗地帯を予測して通信制御情報を生成し、この生成した通信制御情報に基づく移動機の通信制御を行うようにしているため、移動機と基地局が無駄な通信を行わずにセル内の干渉を減らし、効率よく無線システムを活用することで、スループットを向上することができる。
【００８０】
つぎの発明によれば、カーナビゲーションは、車両の現在位置と送受信失敗地帯の２地点の距離に基づいて、通信制御情報を転送レート高速化通知、再送中断通知、再送再開通知の何れか一つに決定し、移動機は、転送レート高速化通知を受信した場合、基地局との通信を高速通信に切り換え、再送中断通知を受信した場合、基地局との通信で失敗が発生しても再送再開通知を受信するまでの間は再送通信を行わないようにしているため、移動機の消費電力を減らし、バッテリーの消耗を抑えることができる。
【００８１】
つぎの発明によれば、路側機は、カーナビゲーションから送受信失敗情報を受信した場合、受信した送受信失敗情報に含まれる位置情報に基づき受信した送受信失敗情報を路側機制御サーバへ伝送する必要性があるか否かを判断し、必要がある場合のみ受信した送受信失敗情報を路側機制御サーバに伝達するようにしているため、必要最低限のデータのやり取りで、路側機制御サーバが管理する送受信失敗情報を最新の状態にすることができる。
【００８２】
つぎの発明によれば、路側機制御サーバは、受信日時に基づいて送受信失敗情報を管理し、定期的に送受信失敗情報の必要性を判断し、必要のない送受信失敗情報は路側機サーバと路側機から削除するようにしているため、必要最低限のデータのやり取りで、路側機制御サーバが管理する送受信失敗情報と路側機が記憶する送受信失敗情報を最新の状態にすることができる。
【図面の簡単な説明】
【図１】  実施の形態１の無線伝送制御システムの構成を示すブロック図である。
【図２】  図１に示した移動機の構成を示すブロック図である。
【図３】  図１に示したカーナビの構成を示すブロック図である。
【図４】  図１に示した路側機の構成を示すブロック図である。
【図５】  図１に示した路側機制御サーバの構成を示すブロック図である。
【図６】  図１に示した移動機の動作を説明するためのフローチャートである。
【図７】  図１に示したカーナビの上り通信の動作を説明するためのフローチャートである。
【図８】  図１に示した路側機の上り通信の動作を説明するためのフローチャートである。
【図９】  図１に示した路側機制御サーバの動作を説明するためのフローチャートである。
【図１０】  図１に示した路側機の下り通信の動作を説明するためのフローチャートである。
【図１１】  図１に示したカーナビの下り通信の動作を説明するためのフローチャートである。
【図１２】  通信制御情報の通知の必要性の判定方法を説明するための図である。
【図１３】  通信制御情報の通知必要性の判定方法を説明するためのフローチャートである。
【図１４】  図１に示した移動機の下り通信の動作を説明するためのフローチャートである。
【図１５】  実施の形態２の路側機制御サーバの動作を説明するためのフローチャートである。
【図１６】  実施の形態３の無線伝送制御システムの構成を示すブロック図である。
【図１７】  従来の技術を説明するための図である。
【図１８】  電波状態の悪いエリアを示す図である。
【符号の説明】
１  移動局、２、７６  目的地、３  電波状態が極度に悪い地域、１０ａ  先行車両、１０ｂ  対向車両、１０ｃ  後続車両、２０  移動機、２１  通信制御情報送受信部、２２  送受信制御部、２３  送受信実施部、３０  カーナビ、３１  移動機通信部、３２  位置情報測定部、３３  送受信失敗情報生成部、３４路側機通信部、３５  移動機通信制御部、４０ａ、４０ｂ、４０ｃ  路側機、４１  カーナビ通信部、４２、５２  送受信失敗情報管理部、４３  送受信失敗情報記憶部、４４  路側機制御サーバ通信部、５０  路側機制御サーバ、５１  路側機通信部、５３  記憶部、６０  ＧＰＳ衛星、７０  ルート、７１、７２、７３、７４  現在位置、７５  出発地、８０ａ  先行列車、８０ｂ  対向列車、８０ｃ  後続列車、９１、９２、９３、９４、９５、９６  車両、Ｍ１、Ｍ２、Ｍ３  移動局。
【図１】
0003836729.tif 000002
【図２】
0003836729.tif 000003
【図３】
0003836729.tif 000004
【図４】
0003836729.tif 000005
【図５】
0003836729.tif 000006
【図６】
0003836729.tif 000007
【図７】
0003836729.tif 000008
【図８】
0003836729.tif 000009
【図９】
0003836729.tif 000010
【図１０】
0003836729.tif 000011
【図１１】
0003836729.tif 000012
【図１２】
0003836729.tif 000013
【図１３】
0003836729.tif 000014
【図１４】
0003836729.tif 000015
【図１５】
0003836729.tif 000016
【図１６】
0003836729.tif 000017
【図１７】
0003836729.tif 000018
【図１８】
0003836729.tif 000019